(57)【特許請求の範囲】
【請求項１】
卵を保持する保持孔を設けたＶ字型に対向する左右の保持板と、前記保持板を支えるように設けられた左右の側面板と、左右の前記側面板の下端を結ぶ底面板とが設けられ、前記底面板の後端部に背面板、天面板、前面板が連設され、前記前面板が前記底面板に固定されて前記保持板を包むように設けられ、左右の前記側面板の前後両端部に支持板が設けられ、前記背面板の下部が後部に設けられた前記支持板の下部に固定され、前記底面板の前端部に延設された固定板が前部に設けられた前記支持板の下部に固定されていることを特徴とする卵包装用パッケージ。
【請求項２】
前記背面板、前記天面板、前記前面板のいずれかに、左右に切断できるように易切断帯が設けられていることを特徴とする請求項１に記載の卵包装用パッケージ。
【請求項３】
前記前面板に易切断帯が設けられ、前記背面板に左右横方向の折罫が前記支持板との固定部分より上に設けられていることを特徴とする請求項１または２に記載の卵包装用パッケージ。
【請求項４】
前記固定板に前記前面板の下端部分が接着されていて、前記前面板が前記底面板に固定されていることを特徴とする請求項１から３のいずれか１項に記載の卵包装用パッケージ。
【請求項５】
前記背面板と前記前面板の少なくとも一方に、前記卵が見えるように窓部が開孔されていることを特徴とする請求項１から４のいずれか１項に記載の卵包装用パッケージ。
【発明の詳細な説明】
【技術分野】
【０００１】
本発明は、卵包装用パッケージに関するものである。
【背景技術】
【０００２】
割れやすい卵は、プラスチックの成形トレーや、パルプモールドの容器に収納されて、市販されていることが多いが、紙器に包装され販売されているものもある。特にゆで卵は美粧な紙器で包装されて、コンビニエンスストアーや駅の売店などで販売されている。
【０００３】
例えば、鶏卵包装用組立紙器がある。これは、上面片と後面片と底面片と前面片とからなる枠ブロック片と、鶏卵の両端部をはめ込み支持できる円形状透孔が穿設された左右一対の保持片を固定片の両端に台形状に連接させた保持ブロック片とからなり、一方の保持片の自由端に枠ブロック片の前面片が連結され、他方の保持片の自由端に支持片が設けられ、支持片が後面片と上面片の折り部に内側から当接するようした紙器である（特許文献１）。
【０００４】
特許文献１には、包装された卵の取り出し方が記載されていないが、上面片の先端に設けられた取付片と前面片の係止を解くなり、枠ブロック片を左右に切断して開封すると、左右の保持片の上端部が離れて、左右の保持片が開いてしまう。このため、開封したときに、保持されていた卵が外れて、落としてしまう恐れがある。
【０００５】
公知文献を以下に示す。
【先行技術文献】
【特許文献】
【０００６】
【特許文献１】実公昭６０−２０６２３号公報
【発明の概要】
【発明が解決しようとする課題】
【０００７】
本発明は上記のような事情に鑑みてなされたもので、包装されているときはしっかりと卵が保持され、開封したときに卵が外れて落としてしまう恐れのない卵包装用パッケージを提供することを課題とする。
【課題を解決するための手段】
【０００８】
本発明は係る課題に鑑みなされたものであり、請求項１の発明は、卵を保持する保持孔を設けたＶ字型に対向する左右の保持板と、前記保持板を支えるように設けられた左右の側面板と、左右の前記側面板の下端を結ぶ底面板とが設けられ、前記底面板の後端部に背面板、天面板、前面板が連設され、前記前面板が前記底面板に固定されて前記保持板を包むように設けられ、左右の前記側面板の前後両端部に支持板が設けられ、前記背面板の下部が後部に設けられた前記支持板の下部に固定され、前記底面板の前端部に延設された固定板が前部に設けられた前記支持板の下部に固定されていることを特徴とする卵包装用パッケージである。
【０００９】
本発明の請求項２の発明は、前記背面板、前記天面板、前記前面板のいずれかに、左右に切断できるように易切断帯が設けられていることを特徴とする請求項１に記載の卵包装用パッケージである。
【００１０】
本発明の請求項３の発明は、前記前面板に易切断帯が設けられ、前記背面板に左右横方
向の折罫が前記支持板との固定部分より上に設けられていることを特徴とする請求項１または２に記載の卵包装用パッケージである。
【００１１】
本発明の請求項４の発明は、前記固定板に前記前面板の下端部分が接着されていて、前記前面板が前記底面板に固定されていることを特徴とする請求項１から３のいずれか１項に記載の卵包装用パッケージである。
【００１２】
本発明の請求項５の発明は、前記背面板と前記前面板の少なくとも一方に、前記卵が見えるように窓部が開孔されていることを特徴とする請求項１から４のいずれか１項に記載の卵包装用パッケージである。
【発明の効果】
【００１３】
本発明の卵包装用パッケージは、しっかりと卵を保持して包装することができ、開封したときに保持片が開いて卵が外れて落ちてしまう恐れがない。
【図面の簡単な説明】
【００１４】
【図１】本発明の卵包装用パッケージの第１の実施形態を正面から示した説明のための概念図である。
【図２】本発明の卵包装用パッケージの第１の実施形態のブランクの平面図である。
【図３】本発明の卵包装用パッケージの第１の実施形態の組み立て方を説明する平面で示した概念図である。
【図４】本発明の卵包装用パッケージの第１の実施形態の組み立て方を説明する概念図で、（Ａ）平面図、（Ｂ）Ｘ−Ｘ断面図である。
【図５】本発明の卵包装用パッケージの第２の実施形態を正面から示した説明のための概念図である。
【図６】本発明の卵包装用パッケージの第２の実施形態のブランクの平面図である。
【図７】本発明の卵包装用パッケージの第２の実施形態の組み立て方を説明する平面で示した概念図である。
【図８】本発明の卵包装用パッケージの第２の実施形態の組み立て方を説明する概念図で、（Ａ）平面図、（Ｂ）Ｙ−Ｙ断面図である。
【図９】本発明の卵包装用パッケージの第３の実施形態を正面から示した説明のための概念図である。
【図１０】本発明の卵包装用パッケージの第３の実施形態のブランクの平面図である。
【図１１】本発明の卵包装用パッケージの第３の実施形態の組み立て方を説明する平面で示した概念図である。
【図１２】本発明の卵包装用パッケージの第３の実施形態の組み立て方を説明する概念図で、（Ａ）平面図、（Ｂ）Ｚ−Ｚ断面図である。
【発明を実施するための形態】
【００１５】
＜第１の実施形態＞
以下、本発明を実施するための第１の実施形態につき説明する。
図１は、本発明の卵包装用パッケージの第１の実施形態を正面から示した説明のための概念図、図２は、本発明の卵包装用パッケージの第１の実施形態のブランクの平面図である。
【００１６】
第１の実施形態の卵包装用パッケージ１００は、図１のように、卵Ｅを保持する左保持板１と右保持板２と、左保持板１と右保持板２を支えるようにそれぞれの上端部に連設された左側面板３と右側面板４と、左側面板３と右側面板４との下端を結ぶ底面板５とが設けられている。
【００１７】
また、底面板５の後端部に背面板６（図１では見えない）、天面板７、前面板８が連設されていて、左保持板１と右保持板２を包むように形成されている。そして、前面板８には左右に切断できるように切れ目が断続して線状に並んだ易切断線が平行に２本並んで形成された易切断帯９が設けられている。さらに、前面板８の下端部分は、底面板５の前端部に延設され、起立した固定板１０に接着されていて、前面板８が底面板５に固定されている。
【００１８】
本実施形態の卵包装用パッケージ１００のブランク１０１は、図２のように、左右中央に底面板５が設けられ、その両側に左側面板３と右側面板４が設けられ、それぞれの端部に、左保持板１と右保持板２が設けられている。
【００１９】
また、底面板５の上端から、背面板６、天面板７、前面板８が連設されている。底面板５の下端には、固定板１０が設けられている。背面板６には左右方向の折罫ａが設けられている。また、背面板６と前面板８には、それぞれ窓部１１、１２が開孔されて設けられている。
【００２０】
左保持板１と右保持板２には、卵Ｅの上下をそれぞれ差し込んで横置きにして保持する保持孔１３、１４が設けられている。保持孔１４の切断された部分の一部は部分的につながって残り、舌片１５が形成されている。
【００２１】
左保持板１と右保持板２の左右外側には、それぞれ接地片１６、１７が設けられ、接地片１６、１７の中央部分には、断続した切れ目による折罫ｂ、ｃが設けられている。この折罫ｂ、ｃより外側の部分が、底面板５に接着されて固定される。
【００２２】
また、左側面板３と右側面板４の上下端にはそれぞれ、支持板１８、１９、２０、２１が設けられている。
【００２３】
以下、卵包装用パッケージ１００の組み立て方を説明する。
図３は、本発明の卵包装用パッケージの第１の実施形態の組み立て方を説明する平面で示した概念図、図４は、本発明の卵包装用パッケージの第１の実施形態の組み立て方を説明する概念図で、（Ａ）は、平面図、（Ｂ）は、（Ａ）のＸ−Ｘ断面図である。
【００２４】
卵包装用パッケージ１００を組み立てるには、まず、ブランク１０１の折罫ｂと折罫ｃを内側に折り返しておいて、左側面板３と左保持板１の間の折罫で内側に折返し、また、右側面板４と右保持板２の間の折罫で内側に折返し、図３のように、接地片１６の折罫ｂの外側と接地片１７の折罫ｃの外側を底面板５にそれぞれ接着する。
【００２５】
次に、左側面板３と右側面板４を底面板５に対して垂直になるように立ち上げる。このようにすると、左保持板１と右保持板２がそれぞれ斜めに起き上がり、Ｖ字型に対向する。この後、右保持板２の保持孔１４に設けられた舌片１５を倒して保持孔１３の中に差し込む。
【００２６】
そして、図４（Ａ）のように、支持板１８、１９、２０、２１を内側に直角に折り曲げる。このとき、図４（Ａ）のＸ−Ｘ断面は、図４（Ｂ）のようになる。次に、固定板１０を垂直に立ち上げ固定板１０の内面を支持板１９、２１の接する部分に接着する。
【００２７】
また、背面板６を垂直に立ち上げ、背面板６の内面を支持板１８、２０の接する部分に接着する。そして、卵Ｅを横にして、その両端部分を、左保持板１の保持孔１３と右保持板２の保持孔１４に差し込み、収納する。
【００２８】
次に背面板６と天面板７の間の折罫を折り、また、天面板７と前面板８の間の折罫を折り、前面板８の下端部分を固定板１０の外面に接着し、背面板６、天面板７、前面板８で、左保持板１と右保持板２を包むように包装する。このようにして、卵Ｅが収納された卵包装用パッケージ１００が、図１のように、組み立てられる。
【００２９】
以上のようにして、組み立てられた卵包装用パッケージ１００は、しっかりと卵Ｅを保持して包装している。そして、前面板８の易切断帯９を引き裂いて横方向に切断することにより開封し卵Ｅを取り出すことができる。
【００３０】
このとき、背面板６に折罫ａが設けられているので、背面板６が外側に折れて大きく開き、左保持板１と右保持板２が露出するので、卵Ｅを取り出しやすい。また、支持板１８と支持板２０が背面板６の折罫ａより下の部分に接着していて、また支持板１９と支持板２１が固定板１０に接着しているので、左保持板１と右保持板２が、卵Ｅが外れて落ちてしまうほど開くことがなく、開封時に卵Ｅを落としてしまうようなことがない。
【００３１】
＜第２の実施形態＞
以下本発明を実施するための第２の実施形態につき説明する。
図５は、本発明の卵包装用パッケージの第２の実施形態を正面から示した説明のための概念図、図６は、本発明の卵包装用パッケージの第２の実施形態のブランクの平面図である。
【００３２】
第２の実施形態の卵包装用パッケージ２００は、図５のように、卵Ｅを保持する左保持板１と右保持板２と、左保持板１と右保持板２を支えるようにそれぞれの上端部に連設された左側面板３と右側面板４と、左側面板３と右側面板４との下端を結ぶ底面板５とが設けられている。
【００３３】
また、底面板５の後端部に背面板６（図５では見えない）、天面板７、前面板８が連設されていて、左保持板１と右保持板２を包むように形成されている。そして、前面板８には左右に切断できるように、切れ目が断続して線状に並んだ易切断線が、平行に２本並んで形成された易切断帯９が設けられている。さらに、前面板８の下端部分は、底面板５の前端部に延設され、起立した固定板１０に接着されていて、前面板８が底面板５に固定されている。
【００３４】
本実施形態の卵包装用パッケージ２００のブランク２０１は、図６のように、左右中央に底面板５が設けられ、その両側に左側面板３と右側面板４が設けられ、それぞれの端部に、左保持板１と右保持板２が設けられている。
【００３５】
また、底面板５の上端から、背面板６、天面板７、前面板８が連設されている。底面板５の下端には、固定板１０が設けられている。背面板６には左右方向の折罫ａが設けられている。また背面板６と、前面板８には、窓部１１、１２が開孔されて設けられている。
【００３６】
左保持板１と右保持板２には、卵Ｅの両端部分をそれぞれ差し込んで横置きにして保持する保持孔１３、１４が設けられている。保持孔１３の切断された部分の一部は部分的につながって残り、舌片２２が形成されている。また、舌片２２には、前後方向になる向きに舌片２２の端部に達しない切れ目２３が設けられている。
【００３７】
左保持板１の右外側には、接地片１６が設けられている。この接地片１６が底面板５に接着されて固定される。また、右保持板２の左外側には、保持孔１３に差し込む差込片２４が設けられている。そして、左側面板３と右側面板４の上下端にはそれぞれ、支持板１８、１９、２０、２１が設けられている。
【００３８】
以下、卵包装用パッケージ２００の組み立て方を説明する。
図７は、本発明の卵包装用パッケージの第２の実施形態の組み立て方を説明する平面で示した概念図、図８は、本発明の卵包装用パッケージの第２の実施形態の組み立て方を説明する概念図で、（Ａ）は、平面図、（Ｂ）は、（Ａ）のＹ−Ｙ断面図である。
【００３９】
卵包装用パッケージ２００を組み立てるには、まず、ブランク２０１の接地片１６と左保持板１の間の折罫と、左保持板１と左側面板３の間の折罫と、左側面板３と底面板５の間の折罫とを内側に折り、図７のように、接地片１６の先端が左側面板３と底面板５の間の折罫に近づけて、接地片１６の外面を底面板５の内面に接着する。
【００４０】
このようにすると、左保持板１の下端が底面板５の左右中央部分に接して固定され、左保持板１の上端は左側面板３の上端部につながっているので、左保持板１は斜めに固定される。
【００４１】
次に、右側面板４と右保持板２の間の折罫を内側に折り、右側面板４を底面板５に対して垂直になるように立ち上げる。このとき、差込片２４を保持孔１３に差し込む。そして、支持板１８、１９、２０、２１を、図８（Ａ）のように、内側に直角に折り曲げる。このようにすると、左保持板１と右保持板２がそれぞれ斜めに起き上がって、Ｖ字型に対向する。このとき、図８（Ａ）のＹ−Ｙ断面は、図８（Ｂ）のようになる。
【００４２】
次に、固定板１０を垂直に立ち上げ固定板１０の内面を支持板１９、２１の接する部分に接着する。また、背面板６を垂直に立ち上げ、背面板６の内面を支持板１８、２０の接する部分に接着する。そして、卵Ｅを横にして、その両端部分を、左保持板１の保持孔１３と右保持板２の保持孔１４に差し込み、収納する。
【００４３】
次に背面板６と天面板７の間の折罫を折り、また、天面板７と前面板８の間の折罫を折り、前面板８の下端部分を固定板１０の外面に接着し、背面板６、天面板７、前面板８で、左保持板１と右保持板２を包むように包装する。このようにして、卵Ｅが収納された卵包装用パッケージ２００が、図５のように、組み立てられる。
【００４４】
以上のようにして、組み立てられた卵包装用パッケージ２００は、しっかりと卵Ｅを保持して包装している。そして、前面板８の易切断帯９を引き裂いて横方向に切断することにより開封し卵Ｅを取り出すことができる。
【００４５】
このとき、背面板６に折罫ａが設けられているので、背面板６が外側に折れて大きく開き、左保持板１と右保持板２が露出するので、卵Ｅを取り出しやすい。また、支持板１８と支持板２０が背面板６の折罫ａより下の部分に接着していて、また支持板１９と支持板２１が固定板１０に接着しているので、左保持板１と右保持板２が、卵Ｅが外れて落ちてしまうほど開くことがなく、開封時に卵Ｅを落としてしまうようなことがない。
【００４６】
＜第３の実施形態＞
以下本発明を実施するための第２の実施形態につき説明する。
図９は、本発明の卵包装用パッケージの第３の実施形態を正面から示した説明のための概念図、図１０は、本発明の卵包装用パッケージの第３の実施形態のブランクの平面図である。
【００４７】
第３の実施形態の卵包装用パッケージ３００は、図９のように、卵Ｅを保持する左保持板１と右保持板２と、左保持板１と右保持板２を支えるようにそれぞれの上端部に連設された左側面板３と右側面板４と、左側面板３と右側面板４との下端を結ぶ底面板５とが設
けられている。
【００４８】
また、底面板５の後端部に背面板６（図９では見えない）、天面板７、前面板８が連設されていて、左保持板１と右保持板２を包むように形成されている。そして、前面板８には左右に切断できるように、切れ目が断続して線状に並んだ易切断線が、平行に２本並んで形成された易切断帯９が設けられている。さらに、前面板８の下端部分は、底面板５の前端部に延設され、起立した固定板１０に接着されていて、前面板８が底面板５に固定されている。
【００４９】
本実施形態の卵包装用パッケージ３００のブランク３０１は、図１０のように、左右中央に底面板５が設けられ、その両側に左側面板３と右側面板４が設けられ、左側面板３の反対側の端部から左保持板１と右保持板２と貼着板２５がこの順に設けられている。
【００５０】
また、底面板５の上端から、背面板６、天面板７、前面板８が連設されている。底面板５の下端には、固定板１０が設けられている。背面板６には左右方向の折罫ａが設けられている。また背面板６と前面板８には、天面板７に跨る窓部１１、１２が開孔されて設けられている。
【００５１】
左保持板１と右保持板２には、卵Ｅの両端部分をそれぞれ差し込んで横置きにして保持する保持孔１３、１４が設けられている。保持孔１３の切断された部分の一部は部分的につながって残り、舌片２２が形成されている。また、舌片２２には、前後方向になる向きに舌片２２の端部に達しない切れ目２３が設けられている。
【００５２】
貼着板２５には、その左右略中央に折罫ｄが設けられている。この折罫ｄより先端側を右側面板４に貼着させて、右保持板２を右側面板４に固定している。そして、左側面板３と右側面板４の上下端にはそれぞれ、支持板１８、１９、２０、２１が設けられている。
【００５３】
以下、卵包装用パッケージ２００の組み立て方を説明する。
図１１は、本発明の卵包装用パッケージの第３の実施形態の組み立て方を説明する平面で示した概念図、図１２は、本発明の卵包装用パッケージの第３の実施形態の組み立て方を説明する概念図で、（Ａ）平面図、（Ｂ）は、（Ａ）のＺ−Ｚ断面図である。
【００５４】
卵包装用パッケージ３００を組み立てるには、まず、ブランク３０１の貼着板２５を折罫ｄで折って、折罫ｄから外側（先端側）の外面に接着剤を塗布し、左保持板１と左側面板３の間の折罫を折って、図１１のように、右側面板４の内面側に折罫ｄから外側（先端側）を接着する。このようにすると、貼着板２５が右側面板４に固定され、右側面板４に右保持板２が固定される。
【００５５】
次に、底面板５と左側面板３の間の折罫を内側に折り、左側面板３を底面板５と垂直に起こす。また、底面板５と右側面板４の間の折罫を内側に折り、右側面板４を底面板５と垂直に起こす。
【００５６】
そして、左保持板１と右保持板２をＶ字型に対向するように、左保持板１と右保持板２の間の折罫が底面板５に接するようにする。このようにすると、貼着板２５は、折罫ｄが延ばされて平坦になり、右側面板４に沿うようになる。
【００５７】
次に、舌片２２を右保持板２との間の折罫で折って下に折り下げ、底面板５に接するようにすると、舌片２２の先端が左側面板３に当たるので、切れ目２３で折れて、それより舌片２２の先端側が左側面板３に沿うようになる。そして、支持板１８、１９、２０、２１をそれぞれ内方に直角に折る。これにより、卵包装用パッケージ３００は、図１２（Ａ）の平面図、および、図１２（Ｂ）のＺ−Ｚ断面のようになる。
【００５８】
次に、固定板１０を垂直に立ち上げ固定板１０の内面を支持板１９、２１の接する部分に接着する。また、背面板６を垂直に立ち上げ、背面板６の内面を支持板１８、２０の接する部分に接着する。そして、卵Ｅを横にして、その両端部分を、左保持板１の保持孔１３と右保持板２の保持孔１４に差し込み、収納する。
【００５９】
次に、背面板６と天面板７の間の折罫を折り、また、天面板７と前面板８の間の折罫を折り、前面板８の下端部分を固定板１０の外面に接着し、背面板６、天面板７、前面板８で、左保持板１と右保持板２を包むように包装する。このようにして、卵Ｅが収納された卵包装用パッケージ３００が、図９のように、組み立てられる。
【００６０】
以上のようにして、組み立てられた卵包装用パッケージ３００は、しっかりと卵Ｅを保持して包装している。そして、前面板８の易切断帯９を引き裂いて横方向に切断することにより開封し卵Ｅを取り出すことができる。
【００６１】
このとき、背面板６に折罫ａが設けられているので、背面板６が外側に折れて大きく開き、左保持板１と右保持板２が露出するので、卵Ｅを取り出しやすい。また、支持板１８と支持板２０が背面板６の折罫ａより下の部分に接着していて、また支持板１９と支持板２１が固定板１０に接着しているので、左保持板１と右保持板２が、卵Ｅが外れて落ちてしまうほど開くことがなく、開封時に卵Ｅを落としてしまうようなことがない。
【符号の説明】
【００６２】
１００、２００、３００・・・卵包装用パッケージ
１０１、２０１、３０１・・・ブランク
Ｅ・・・卵
１・・・左保持板
２・・・右保持板
３・・・左側面板
４・・・右側面板
５・・・底面板
６・・・背面板
７・・・天面板
８・・・前面板
９・・・易切断帯
１０・・・固定板
１１、１２・・・窓部
１３、１４・・・保持孔
１５、２２・・・舌片
１６、１７・・・接地片
１８、１９、２０、２１・・・支持板
２３・・・切れ目
２４・・・差込片
２５・・・貼着板
ａ、ｂ、ｃ、ｄ・・・折罫
【図１】
0006311490.tif 000002
【図２】
0006311490.tif 000003
【図３】
0006311490.tif 000004
【図４】
0006311490.tif 000005
【図５】
0006311490.tif 000006
【図６】
0006311490.tif 000007
【図７】
0006311490.tif 000008
【図８】
0006311490.tif 000009
【図９】
0006311490.tif 000010
【図１０】
0006311490.tif 000011
【図１１】
0006311490.tif 000012
【図１２】
0006311490.tif 000013